(57)【要約】【課題】  散布ノズルの着脱、およびメンテナンス作業の容易なアスファルト乳剤散布装置を提供すること。【解決手段】  移動車輌に取り付けられ、路面上にアスファルト乳剤を散布手段から散布するアスファルト乳剤散布装置であって、前記散布手段は、直線状に配置された複数の散布ノズルを有するとともに、前記散布ノズルの間隔を任意に変更する間隔変更手段を備えたので、散布ノズルの着脱、およびメンテナンス作業を容易にすることができる。また、重複部分のアスファルト乳剤を回収するためのポンプや循環系統の不要なアスファルト乳剤散布装置を提供することができる。【選択図】  図１
2005139709.tif 000002
【特許請求の範囲】
【請求項１】
移動車輌に取り付けられ、路面上にアスファルト乳剤を散布手段から散布するアスファルト乳剤散布装置であって、
前記散布手段は、直線状に配置された複数の散布ノズルを有するとともに、前記散布ノズルの間隔を任意に変更する間隔変更手段を備えたことを特徴とするアスファルト乳剤散布装置。
【請求項２】
前記散布手段の散布幅を前記間隔変更手段によって所定範囲で任意に変更することを特徴とする請求項１に記載のアスファルト乳剤散布装置。
【請求項３】
前記散布ノズルの間隔は、等間隔であることを特徴とする請求項１または２に記載のアスファルト乳剤散布装置。
【請求項４】
前記散布手段の水平方向位置を変更する位置変更手段を備えたことを特徴とする請求項１〜３の何れか１に記載のアスファルト乳剤散布装置。
【請求項５】
前記散布手段は、散布範囲の周囲を覆うカバー手段を備え、散布幅の変更に伴ってカバー手段を幅方向に伸縮することを特徴とする請求項１〜４の何れか１に記載のアスファルト乳剤散布装置。
【請求項６】
前記カバー手段は、中央に配置された固定カバーと左右に配置された移動カバーとから構成され、
前記移動カバーは、散布ノズルの吐出口より下の散布範囲を囲蔽することを特徴とする請求項１〜５の何れか１に記載のアスファルト乳剤散布装置。
【請求項７】
前記散布手段は、上下位置変更手段を備え鉛直方向に上下動することを特徴とする請求項１〜６の何れか１に記載のアスファルト乳剤散布装置。
【請求項８】
前記間隔変更手段は、駆動シリンダと、一端に連結された前記駆動シリンダによって駆動されるリンク機構と、該リンク機構の適宜位置に取り付けられた移動ブラケットと、該移動ブラケットに固定された散布ノズルと、前記移動ブラケットを案内する伸縮可能なレール部材と、両端の伸縮可能なフレーム部材とから成り、
前記レール部材とフレーム部材は、一端で連結されるとともに他端がロック機構により着脱可能に構成され、前記駆動シリンダを操作することにより、散布ノズルの間隔を変更するとともに、前記ロック機構を解除し前記散布ノズルをフレーム部材の端部に集合可能であることを特徴とする請求項１〜７の何れか１に記載のアスファルト乳剤散布装置。
【請求項９】
前記間隔変更手段によって端部に集合された散布ノズルは、前記位置変更手段によって装置本体の側面から突出可能であることを特徴とする請求項８に記載のアスファルト乳剤散布装置。
【発明の詳細な説明】
【技術分野】
【０００１】
本発明は、アスファルト合材を敷く直前に、下層路面にアスファルト乳剤を散布する為のアスファルト乳剤散布装置に関するものである。
【背景技術】
【０００２】
従来、アスファルト合材を未舗装の路盤や舗装体の下層面上に敷き均す前に、アスファルト乳剤を散布する装置が種々提案されている。
しかし、アスファルト乳剤を散布する幅が施工現場によって、種々変化するため散布幅を自由に変更できる装置が望まれていた。アスファルト乳剤の散布幅を変更できるものとして、例えば、特開平１０−７２８０６号公報に開示されているように、２列の散布ノズル群１ａ、１ｂを平行に配置し、散布ノズル群１ａ、１ｂの重なり部分を調整することにより、散布幅を調整するものが存在した（図１１参照）。この実施例では、重複してノズルが散布するのを防止するために、散布ノズル群１ｂに沿ってアスファルト乳剤受け２を備えている。アスファルト乳剤受け２で受けた乳剤は、循環させて再使用する。また、別の装置では、重複する散布ノズルの一方を閉鎖して使用している。
【０００３】
【特許文献１】特開平１０−７２８０６号公報
【発明の開示】
【発明が解決しようとする課題】
【０００４】
しかし、特開平１０−７２８０６号公報等に開示されたアスファルト乳剤を散布する装置では、アスファルト乳剤の付着性および粘性が高く、散布ノズルが非常に詰まり易く、散布ノズルの脱着、洗浄、交換作業が不可欠であった。これに対し、従来の構成の散布ノズルは、その取り付け位置が地面に近く、散布ノズルの脱着、洗浄、交換作業が煩雑であった。
また、重複したノズルが散布した乳剤を路面に到達する前にアスファルト乳剤受け２で受けて回収する方法では、乳剤成分中の揮発成分が蒸発して粘度が更に増すため、散布ノズルが一層詰まり易くなるとともに、その交換作業の為に工事を中断しなければならなかった。更に、通常の配管系統の他に別の回収ポンプを始めとする配管系統が必要となり、装置が複雑かつ大型化、高額化すると云う問題点が存在した。更に、重複する散布ノズルの一方を閉鎖して使用する装置にあっては、閉鎖した散布ノズルが詰まり易くなると云う問題があった。
【課題を解決するための手段】
【０００５】
前記目的を達成するために、請求項１に記載の発明は、移動車輌に取り付けられ、路面上にアスファルト乳剤を散布手段から散布するアスファルト乳剤散布装置であって、前記散布手段は、直線状に配置された複数の散布ノズルを有するとともに、前記散布ノズルの間隔を任意に変更する間隔変更手段を備えたことを特徴としている。
【０００６】
また、請求項２に記載の発明において、前記散布手段の散布幅を前記間隔変更手段によって所定範囲で任意に変更することを特徴とするものである。
【０００７】
また、請求項３に記載の発明において、前記散布ノズルの間隔は、等間隔であることを特徴とするものである。
【０００８】
また、請求項４に記載の発明において、前記散布手段の水平方向位置を変更する位置変更手段を備えたことを特徴とするものである。
【０００９】
また、請求項５に記載の発明において、前記散布手段は散布範囲の周囲を覆うカバー手段を備え、散布幅の変更に伴ってカバー手段を幅方向に伸縮することを特徴とするものである。
【００１０】
また、請求項６に記載の発明において、前記カバー手段は、中央に配置された固定カバーと左右に配置された移動カバーとから構成され、前記移動カバーは、散布ノズルの吐出口より下の散布範囲を囲蔽することを特徴とするものである。
【００１１】
また、請求項７に記載の発明において、前記散布手段は上下位置変更手段を備え鉛直方向に上下動することを特徴とするものである。
【００１２】
また、請求項８に記載の発明において、前記間隔変更手段は、駆動シリンダと、一端に連結された前記駆動シリンダによって駆動されるリンク機構と、該リンク機構の適宜位置に取り付けられた移動ブラケットと、該移動ブラケットに固定された散布ノズルと、前記移動ブラケットを案内する伸縮可能なレール部材と、両端の伸縮可能なフレーム部材とから成り、前記レール部材とフレーム部材は、一端で連結されるとともに他端がロック機構により着脱可能に構成され、前記駆動シリンダを操作することにより、散布ノズルの間隔を変更するとともに、前記ロック機構を解除し前記散布ノズルをフレーム部材の端部に集合可能であることを特徴とするものである。
【００１３】
また、請求項９に記載の発明において、前記間隔変更手段によって端部に集合された散布ノズルは、前記位置変更手段によって装置本体の側面から突出可能であることを特徴とするものである。
【発明の効果】
【００１４】
この発明は前記した構成からなるので、以下に説明するような効果を奏することができる。
【００１５】
請求項１に記載の発明では、移動車輌に取り付けられ、路面上にアスファルト乳剤を散布手段から散布するアスファルト乳剤散布装置であって、前記散布手段は、直線状に配置された複数の散布ノズルを有するとともに、前記散布ノズルの間隔を任意に変更する間隔変更手段を備えたので、少ない散布ノズルであっても種々の散布幅に対応することができる。また、散布作業中に散布ノズルが詰まると云うトラブルによって、長時間施工が中断することがないので、散布作業の効率化を図ることができる。更に、アスファルト乳剤の回収のための配管系統が不要となり、装置の簡素化、小形化を達成することができる。
【００１６】
また、請求項２に記載の発明において、前記散布手段の散布幅を前記間隔変更手段によって所定範囲で任意に変更するので、少ない散布ノズル数で種々の散布幅に対応することができる。また、散布ノズル数が少ないのでノズル詰まりも少なくすることができる。
【００１７】
また、請求項３に記載の発明において、前記散布ノズルの間隔は、等間隔であるので、散布範囲を変更しても均等なアスファルト乳剤の散布量を確保することができる。
【００１８】
また、請求項４に記載の発明において、前記散布手段の水平方向位置を変更する位置変更手段を備えたので、アスファルト乳剤の散布幅を調整できるとともに、施工場所に応じて水平方向位置も自由に調整することができる。
【００１９】
また、請求項５に記載の発明において、前記散布手段は散布範囲の周囲を覆うカバー手段を備え、散布幅の変更に伴ってカバー手段を幅方向に伸縮するので、散布手段の散布幅を変更してもアスファルト乳剤が風等で飛散して周囲を汚染するのを防止することができる。
【００２０】
また、請求項６に記載の発明において、前記カバー手段は、中央に配置された固定カバーと左右に配置された移動カバーとから構成され、前記移動カバーは、散布ノズルの吐出口より下の散布範囲を囲蔽するので、アスファルト乳剤が飛散して周囲を汚染するのを防止するとともに、散布ノズルが移動カバーの上に露出しており、修理、洗浄、交換作業を容易に実施することができる。
【００２１】
また、請求項７に記載の発明において、前記散布手段は上下位置変更手段を備え鉛直方向に上下動するので、個々の散布ノズルのスプレー角を考慮して、各散布ノズルの間隔を変更した場合でも均等なアスファルト乳剤の散布が可能である。
【００２２】
また、請求項８に記載の発明において、前記  間隔変更手段は、駆動シリンダと、一端に連結された前記駆動シリンダによって駆動されるリンク機構と、該リンク機構の適宜位置に取り付けられた移動ブラケットと、該移動ブラケットに固定された散布ノズルと、前記移動ブラケットを案内する伸縮可能なレール部材と、両端の伸縮可能なフレーム部材とから成り、前記レール部材とフレーム部材は、一端で連結されるとともに他端がロック機構により着脱可能に構成され、前記駆動シリンダを操作することにより、散布ノズルの間隔を変更するとともに、前記ロック機構を解除し前記散布ノズルをフレーム部材の端部に集合可能であるので、駆動シリンダを操作することによりリンク機構を変形させて移動ブラケットに固定された散布ノズルの間隔を自由に変更することができる。また、ロック機構を解除し散布ノズルをフレーム部材の端部に集合させれば、散布ノズルが装置本体の側面から突出するので、散布ノズルの修理、洗浄、交換作業が極めて容易である。
【００２３】
また、請求項９に記載の発明において、前記間隔変更手段によって端部に集合された散布ノズルは、前記位置変更手段によって装置本体の側面から突出可能であるので、従来のように散布手段を装置から取り外す必要がなく、散布ノズルの修理、洗浄、交換作業が極めて容易である。
【発明を実施するための最良の形態】
【００２４】
本発明は、幅可変式等ピッチノズルによってアスファルト乳剤の散布幅の変更に対応して自由に散布幅を変更することができるとともに、均一な散布量を可能とするアスファルト乳剤散布装置を実現した。
【実施例１】
【００２５】
以下、一実施の形態を示す図面に基づいて本発明を詳細に説明する。図１は、本発明に係るアスファルト乳剤散布装置の一例を示す側面図、図２は本発明のアスファルト乳剤散布装置に使用する散布手段を示す縦断面図、図３は図２におけるＡ−Ａ線縦断面図、図４は、図３の左端部を拡大した平面図である。ここで、アスファルト乳剤散布装置１０は、アスファルト乳剤を散布した後に、アスファルト合材を均等に敷き均すアスファルトフィニッシャ或いは乳剤散布専用のアスファルトディストリビュータ等に適用することができる。アスファルト乳剤散布装置１０は、自走機構１１にアスファルト合材を収容するホッパ１２と、アスファルト合材の搬送機構１３と、複数の散布ノズルを直線状に配置したアスファルト乳剤の散布手段１４と、前記散布ノズルの間隔を任意に変更する間隔変更手段１５と、アスファルト合材を敷き均すスクリード１６を備えている。
【００２６】
搬送機構１３は、加熱機構、例えば電気ヒーター等によって保温しつつアスファルト合材をホッパ１２から搬送する。
【００２７】
散布手段１４は、複数の散布ノズル１７を直線状に配置したものであって、散布ノズル１７の間隔を任意に変更する間隔変更手段１５を備えている。本実施例では、５個の散布ノズル１７を備えた場合について説明するが、これに限らず複数の散布ノズルに適用することができる。また、各散布ノズル１７は、連結ホース３８によりそれぞれ連通されるとともに、図外のアスファルト乳剤圧送機構に接続されている。間隔変更手段１５は、駆動シリンダ１８と、一端に連結された前記駆動シリンダによって駆動されるリンク機構１９と、該リンク機構１９の適宜位置に取り付けられた移動ブラケット２０と、該移動ブラケット２０に固定された散布ノズル１７と、前記移動ブラケット２０を案内する伸縮可能なレール部材２１と、両端の伸縮可能なフレーム部材２２とから構成されている。駆動シリンダ１８は、カバーブラケット２３に固定されるとともに、駆動シリンダロッド１８ａの先端がリンク機構１９の左端部に連結されている。駆動シリンダ１８は、油圧等で伸縮自在に構成されている。
【００２８】
リンク機構１９は、パンタグラフ状に複数のリンク１９ａがピン結合されており、適宜位置に配置された移動ブラケット２０によって摺動可能にレール部材２１に支えられている。移動ブラケット２０は、環状部２０ａでレール部材２１に挿通されており、自在に摺動可能である。移動ブラケット２０から垂下された軸２０ｂは、リンク機構１９の回動軸を兼ねるとともに、リンク機構１９の下に散布ノズル１７が取り付けられている。レール部材２１は、第１レール２１ａの内径に挿入配置された第２レール２１ｂとから構成され、伸縮自在となっている。また、第２レール２１ｂの左端部は、カバーブラケット２３に固定されている。第１レール２１ａの右端部は、カバーブラケット２４に固定されている。
【００２９】
フレーム部材２２は、中央に太径の固定フレーム２２ａと左右にこの固定フレーム２２ａの挿入配置された移動フレーム２２ｂを有していおり、長手方向に伸縮自在となっている。そして、移動フレーム２２ｂの各端部は、それぞれカバーブラケット２３，２４に固定されている。したがって、リンク機構１９の働きによってレール部材２１が伸縮すると、フレーム部材２２も同じように伸縮する。また、固定フレーム２２ａはハンガー部材３４に固定されており、このハンガー部材３４は上下位置変更手段である昇降シリンダ２５に連結されており、自走機構１１のフレームに吊り下げられている。
【００３０】
前述したようにレール部材２１とフレーム部材２２の左端は、カバーブラケット２３に連結されるとともに右端がカバーブラケット２４に連結されている。一方、リンク機構１９の右端部には、基台２６を介して係合環２７が取り付けられている（図６、８参照）。そして、係合環２７は、カバーブラケット２４に固定されたスナッチロック機構２８と着脱可能に構成されている。スナッチロック機構２８は、錠前と同様な機構となっており、開口部に配置されたラッチ２９は、挿入された係合環２７を捉えてロックする。また、解除レーバ３０を操作することにより、ラッチ２９が係合環２７を開放する。更に、解除レーバ３０に対峙してアングル部材３１がヒンジ３２によって半回動可能に配置されている。また、スナッチロック機構２８とアングル部材３１は、取り付け板３３上に固定されており、ハンガー部材２４に取り付けられている。アングル部材３１の起立した一辺３１ａは、所定量収縮すると固定カバーの一部と当接するよう配置されている。したがって、リンク機構１９が所定量収縮すると、図８に示すようにアングル部材３１が固定カバーの一部と当接することにより回動し、解除レーバ３０を押し上げる。すると、ラッチ２９が解除されて、係合環２７が開放される。これによって、リンク機構１９は、カバーブラケット２４から開放されて、さらに収縮することができる。
【００３１】
また、図２，７に示すようにハンガー部材３４には、散布ノズル１７を覆う固定カバー３５が取り付けられている。固定カバー３５は、下端に可撓性部材３５ａを有するとともに、散布ノズル１７の吐出口１７ａの臨む開口溝３５ｂを有している。開口溝３５ｂは、長手方向に沿って形成されている。
【００３２】
また、図７に示すように固定カバー３５の両端には、それぞれ移動カバー３６が配置されている。移動カバー３６は、端部をそれぞれカバーブラケット２３、２４ に固定されるとともに、内側端を固定カバー３５の開口溝３５ｂにフランジ３６ａで係支されている。したがって、リンク機構１９の伸縮に伴って、移動カバー３６も伸縮移動する。また、移動カバー３６の下端には、可撓性部材３６ｂが取り付けられている。更に、図２に示すように移動カバー３６は、散布ノズル１７の吐出口１７ａより下のスプレイ範囲を囲蔽するよう構成されている（図２参照）。移動カバー３６の天井部でフランジ３６ａの間に、散布ノズル１７の吐出口１７ａの臨む開口溝３６ｃが形成されている。開口溝３６ｃは、移動カバー３６の長手方向に沿って形成されている。
【００３３】
また、散布手段１４は、水平方向に位置を変更する位置変更手段であるサイドシフトシリンダ３７を備えている（図７、９参照）。サイドシフトシリンダ３７は、シリンダ本体が固定カバー３５等に固定されるとともに、作動端がカバーブラケット２３に連結されている。したがって、サイドシフトシリンダ３７を操作することにより、幅寸法を変更した散布手段１４の横方向の位置を調整することができる。また、図９、１０に示すように駆動シリンダ１８を伸ばしてリンク機構１９を左端に寄せたものを、更にサイドシフトシリンダ３７で押し出すことで、散布ノズル１７を装置本体の側面Ｌから突出させることができる。
【００３４】
次に、以上のように構成された本発明に係るアスファルト乳剤散布装置１０の使用方法について説明する。先ず、アスファルト乳剤を散布する幅に合わせて散布手段１４の散布幅を調整する。調整は、駆動シリンダ１８を操作し、リンク機構１９を伸縮させる。駆動シリンダロッド１８ａを伸ばすと、リンク機構１９が収縮し、駆動シリンダロッド１８ａを収縮すると、リンク機構１９が伸展する。散布ノズル１７は、リンク機構１９と共に摺動する移動ブラケット２０に取り付けられている為、リンク機構１９の伸縮に伴って集合、拡散する。また、リンク機構１９の伸縮に伴って両端がカバーブラケット２３、２４で規制されたレール部材２１、フレーム部材２２、移動カバー３６も伸縮する。レール部材２１は、第１レール２１ａの中に細径の第２レール２１ｂが進入することにより収縮する。フレーム部材２２は、中央の固定フレーム２２ａの中に両端の移動フレーム２２ｂが進入することにより収縮する。また、カバー部材は、中央の固定カバー３５に両端の移動カバー３６が進入することにより収縮する。図２に示すように移動カバー３６は、内側端上部に形成されたフランジ３６ａが固定カバー３５の開口溝３５ｂに遊嵌されており、この開口溝３５ｂに沿って移動する。
【００３５】
また、散布手段１４の水平方向（横方向）の位置調整は、サイドシフトシリンダ３７によって行う。サイドシフトシリンダ３７は、カバーブラケット２３を介してレール部材２１、フレーム部材２２、移動カバー３６を水平方向に移動することができる。
【００３６】
散布手段１４の上下位置は、昇降シリンダ２５によって行う。散布ノズル１７の間隔を狭くした場合、ノズルの散布範囲の重複を少なくするべく散布手段１４の位置を低くし、散布ノズル１７の間隔を広くした場合、ノズルの散布範囲の隙間を無くす為に散布手段１４の位置を高くする。
【００３７】
また、散布ノズル１７を日常施工後の洗浄作業をしたり、修理、交換する場合は、サイドシフトシリンダ３７を伸長してカバーブラケット２３を左端に移動するとともに、駆動シリンダ１８を操作してリンク機構１９を最大限収縮させる。すると、図８に示すように固定カバー３５或いはハンガー部材３４に取り付けられた作動部材３９が矢印Ｘ方向に近づいて来るアングル部材３１の起立した一辺３１ａに当接し、ヒンジ３２を中心として矢印Ｒ方向に回動する。アングル部材３１が回動すると、スナッチロック機構２８の解除レーバ３０が引き起こされ、ラッチ２９が解除される。ラッチ２９が解除されると、係合環２７がスナッチロック機構２８から開放され、リンク機構１９とカバーブラケット２４との縁が切れ、図９、１０に示すように各散布ノズル１７が装置本体の側面Ｌから突出する。このように散布ノズル１７が装置本体の側面Ｌから突出すると、散布ノズル１７は移動カバー３６の上に配置されているので、日常施工後の洗浄作業をしたり、修理、交換作業が極めて容易である。したがって、日常の施工後の洗浄作業時間を従来に比較して、極めて短縮することができる。また、施工中にノズルが詰まった際にも、短時間で修理できる。
【００３８】
装置本体の側面Ｌから突出した散布ノズル１７を元に戻すには、サイドシフトシリンダ３７によってカバーブラケット２３を右方向へ移動するとともに、駆動シリンダ１８を操作して図４に示すように、駆動シリンダロッド１８ａを収縮させると図６に示すようにリンク機構１９が伸展するとともに、係合環２７が前進してスナッチロック機構２８に係合する。すると、リンク機構１９とカバーブラケット２４とが連結され、リンク機構１９の伸縮に伴って、レール部材２１、フレーム部材２２，移動カバー３６が伸縮する。
【００３９】
尚、以上の実施例では、スナッチロック機構２８を機械式のもので説明したが、磁石式のものであってもよい。
【図面の簡単な説明】
【００４０】
【図１】図１は、本発明に係るアスファルト乳剤散布装置の一例を示す側面図である。
【図２】図２は、同アスファルト乳剤散布装置に使用する散布手段を示す縦断面図である。
【図３】図３は、図２におけるフレーム部とリンク機構のみを示すＡ−Ａ線縦断面図である。
【図４】図４は、図３の左端部を拡大した平面図である。
【図５】図５は、図３の中央部を拡大した平面図である。
【図６】図６は、図３の右端部を拡大した平面図である。
【図７】図７は、散布ノズルを拡開した状態を示す背面図である。
【図８】図８は、リンク機構先端のロック機構の一例を示す背面図である。
【図９】図９は、リンク機構を収縮させ装置本体の左端に寄せた状態を示す平面図である。
【図１０】図１０は、リンク機構を収縮させ装置本体の左端に寄せた状態を示す背面図である。
【図１１】図１１は、従来のアスファルト乳剤散布装置の要部を示す斜視図である。
【符号の説明】
【００４１】
１０      アスファルト乳剤散布装置
１１      自走機構
１２      ホッパ
１３      搬送機構
１４      散布手段
１５      間隔変更手段
１６      スクリード
１７      散布ノズル
１７ａ    吐出口
１８      駆動シリンダ
１８ａ    駆動シリンダロッド
１９      リンク機構
２０      移動ブラケット
２１      レール部材
２１ａ    第１レール
２１ｂ    第２レール
２２      フレーム部材
２２ａ    固定フレーム
２２ｂ    移動フレーム
２３      カバーブラケット
２４      カバーブラケット
２５      昇降シリンダ
２６      基台
２７      係合環
２８      スナッチロック機構
２９      ラッチ
３０      解除レーバ
３１      アングル部材
３２      ヒンジ
３３      取り付け板
３４      ハンガー部材
３５      固定カバー
３５ａ    可撓性部材
３５ｂ    開口溝
３６      移動カバー
３６ａ    フランジ
３６ｂ    可撓性部材
３６ｃ    開口溝
３７      サイドシフトシリンダ
３８      連結ホース
３９      作動部材
【図１】
2005139709.tif 000003
【図２】
2005139709.tif 000004
【図３】
2005139709.tif 000005
【図４】
2005139709.tif 000006
【図５】
2005139709.tif 000007
【図６】
2005139709.tif 000008
【図７】
2005139709.tif 000009
【図８】
2005139709.tif 000010
【図９】
2005139709.tif 000011
【図１０】
2005139709.tif 000012
【図１１】
2005139709.tif 000013